【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  入力手段を介して入力された複数のジョブを順次処理することが可能な画像形成システムにおいて、
入力された複数のジョブを記憶する記憶手段と、
前記記憶手段を参照して今回処理されるジョブに対して未使用の処理機能が該今回のジョブに続いて処理される次ジョブで使用されるか否かを判別する処理機能判別手段とを有し、
前記今回処理されるジョブに対して未使用の処理機能が前記次ジョブで使用されるときには、前記今回処理されるジョブの処理中に、前記次ジョブの処理内容に合わせて、該次ジョブで使用される今回のジョブに対して未使用の処理機能に関する初期設定動作を行うことを特徴とする画像形成システム。
【請求項２】  前記今回処理されるジョブに対して未使用であって前記次ジョブで使用される処理機能は、ステープル処理、パンチ処理、インサート処理、製本処理、折り処理などの後処理機能であることを特徴とする請求項１記載の画像形成システム。
【請求項３】  前記次ジョブは割り込みジョブであることを特徴とする請求項１記載の画像形成システム。
【請求項４】  前記入力手段は、原稿読取装置であることを特徴とする請求項１記載の画像形成システム。
【請求項５】  前記入力手段は、外部装置とネットワークを介して接続され、前記外部装置から送信されたジョブを前記ネットワークを介して入力する手段であることを特徴とする請求項１記載の画像形成システム。
【請求項６】  前記入力手段は、複数の手段からなることを特徴とする請求項１記載の画像形成システム。
【請求項７】  入力手段を介して入力された複数のジョブを順次処理するための画像形成システムのジョブ処理方法において、
前記入力された複数のジョブを記憶手段に記憶する工程と、
前記記憶手段を参照して今回処理されるジョブに対して未使用の処理機能が該今回のジョブに続いて処理される次ジョブで使用されるか否かを判別する工程と、
前記今回処理されるジョブに対して未使用の処理機能が前記次ジョブで使用されるときには、前記今回処理されるジョブの処理中に、前記次ジョブの処理内容に合わせて、該次ジョブで使用される今回のジョブに対して未使用の処理機能に関する初期設定動作を行う工程と
を有することを特徴とする画像形成システムのジョブ処理方法。
【請求項８】  前記今回処理されるジョブに対して未使用であって前記次ジョブで使用される処理機能は、ステープル処理、パンチ処理、インサート処理、製本処理、折り処理などの後処理機能であることを特徴とする請求項７記載の画像形成システムのジョブ処理方法。
【請求項９】  前記次ジョブは割り込みジョブであることを特徴とする請求項７記載の画像形成システムのジョブ処理方法。
【請求項１０】  前記入力手段は、原稿読取装置であることを特徴とする請求項７記載の画像形成システムのジョブ処理方法。
【請求項１１】  前記入力手段は、外部装置とネットワークを介して接続され、前記外部装置から送信されたジョブを前記ネットワークを介して入力する手段であることを特徴とする請求項７記載の画像形成システムのジョブ処理方法。 
【請求項１２】  前記入力手段は、複数の手段からなることを特徴とする請求項７記載の画像形成システムのジョブ処理方法。
【請求項１３】  画像形成ジョブを入力する入力手段と、
前記入力手段から入力された画像形成ジョブに応じてシート上に画像を形成する画像形成手段と、
前記入力手段から入力された画像形成ジョブに応じてシートに対してシート処理を行うシート処理手段と、
第１画像形成ジョブが前記シート処理手段によるシート処理を含まずに第２画像形成ジョブが前記シート処理手段によるシート処理を含むかどうかを判別する判別手段と、
前記判別手段の判別結果に応じて第１画像形成ジョブ中に第２画像形成ジョブのシート処理のための初期動作を前記シート処理手段に実行させる制御手段を有することを特徴とする画像形成装置。
【請求項１４】  前記シート処理手段はシートにステープル処理を行うステープラであり、前記初期動作はユーザ設定に応じた位置に前記ステープラを移動させる動作であることを特徴とする請求項１３記載の画像形成装置。
【請求項１５】  前記シート処理手段はシートにステープル処理を行うステープラであり、前記初期動作はステープル方法に応じた位置に前記ステープラを移動させる動作であることを特徴とする請求項１３記載の画像形成装置。
【請求項１６】  前記シート処理手段はシートにステープル処理を行うステープラであり、前記初期動作はシートサイズに応じた位置に前記ステープラを移動させる動作であることを特徴とする請求項１３記載の画像形成装置。
【請求項１７】  前記シート処理手段はシートに穴空け処理を行う穴空け手段であり、前記穴空け手段はシートの側端を検知する検知手段を含み、前記初期動作はシート幅に応じた位置に前記検知手段を移動させる動作であり、前記判別手段は第１画像形成ジョブが前記シート処理手段によるシート処理を含まずに第２画像形成ジョブがシート処理を含み、かつ第２画像形成ジョブのシート幅が第１画像形成ジョブのシート幅と等しいかそれよりも大きいかどうかを判別することを特徴とする請求項１３記載の画像形成装置。
【請求項１８】  前記シート処理手段はインサート紙を給紙するインサート紙給送手段であり、前記初期動作は所定の位置までインサート紙を給送する動作であることを特徴とする請求項１３記載の画像形成装置。
【請求項１９】  前記シート処理手段は製本処理を行う製本手段であり、前記製本手段はシートを綴じてシートを折るためにシートの位置を規制する規制板を含み、前記初期動作はシートサイズに応じて前記規制板を移動させる動作であることを特徴とする請求項１３記載の画像形成装置。
【請求項２０】  前記シート処理手段は製本処理を行う製本手段であり、前記製本手段はシートを整合する整合板を含み、前記初期動作はシートサイズに応じて前記整合板を移動させる動作であることを特徴とする請求項１３記載の画像形成装置。
【請求項２１】  前記シート処理手段はシート折り処理を行う折り手段であり、前記折り手段はシートを折るためにシート位置を規制する規制板を含み、前記初期動作はシートサイズに応じた位置に前記規制板を移動させる動作であることを特徴とする請求項１３記載の画像形成装置。
【請求項２２】  複数のジョブを順次処理する画像形成装置からのシートに対してシート加工処理を行うシート処理手段を有するシート処理装置を有する画像形成システムの制御方法であって、
前記画像形成装置による第１ジョブの画像形成に引き続き第２のジョブの画像形成を行う場合において、前記シート処理手段により処理すべきシートが前記第１ジョブのシート及び第２ジョブのシートのうちの前記第２ジョブのシートのみであることに応じて、前記画像形成装置にて前記第1ジョブの画像形成が完了していないうちに、前記第２ジョブの為の前記シート処理手段の初期動作を完了させる画像形成システムの制御方法。
【請求項２３】  複数のジョブを順次処理する画像形成装置からのシートに対してシート加工処理を行うシート処理手段を有するシート処理装置を有する画像形成システムに、前記画像形成装置による第１ジョブの画像形成に引き続き第２のジョブの画像形成を行う場合において、
前記シート処理手段により処理すべきシートが前記第１ジョブのシート及び第２ジョブのシートのうちの前記第２ジョブのシートのみであることに応じて、前記画像形成装置にて前記第1ジョブの画像形成が完了していないうちに、前記第２ジョブの為の前記シート処理手段の初期動作を完了させるステップを実行させる為のプログラムを記憶したことを特徴とするコンピュータ読取可能な記憶媒体。
【請求項２４】  複数のジョブを順次処理する画像形成装置からのシートに対してシート加工処理を行うシート処理手段を有するシート処理装置を有する画像形成システムであって、
前記画像形成装置により第１ジョブの画像形成に引き続き第２のジョブの画像形成を行う場合において、前記シート処理手段により処理すべきシートが前記第１ジョブのシート及び第２ジョブのシートのうちの前記第２ジョブのシートのみであることに応じて、前記画像形成装置にて前記第1ジョブの画像形成が完了していないうちに、前記第２ジョブの為の前記シート処理手段の初期動作を開始させる画像形成システム。
【請求項２５】  前記シート処理手段により処理すべきシートが前記第１ジョブのシート及び第２ジョブのシートのうちの前記第１ジョブのシートを含むことに応じて、前記画像形成装置にて前記第１ジョブの画像形成が完了していないうちに、前記第２ジョブの為の前記シート処理手段の初期動作を開始することを禁止することを特徴とする請求項２４記載の画像形成システム。
【手続補正２】
【補正対象書類名】明細書
【補正対象項目名】０００７
【補正方法】変更
【補正の内容】
【０００７】
【課題を解決するための手段】
請求項１記載の発明は、入力手段を介して入力された複数のジョブを順次処理することが可能な画像形成システムにおいて、入力された複数のジョブを記憶する記憶手段と、前記記憶手段を参照して今回処理されるジョブに対して未使用の処理機能が該今回のジョブに続いて処理される次ジョブで使用されるか否かを判別する処理機能判別手段とを有し、前記今回処理されるジョブに対して未使用の処理機能が前記次ジョブで使用されるときには、前記今回処理されるジョブの処理中に、前記次ジョブの処理内容に合わせて、該次ジョブで使用される今回のジョブに対して未使用の処理機能に関する初期設定動作を行うことを特徴とする。
【手続補正３】
【補正対象書類名】明細書
【補正対象項目名】００１３
【補正方法】変更
【補正の内容】
【００１３】
請求項７記載の発明は、入力手段を介して入力された複数のジョブを順次処理するための画像形成システムのジョブ処理方法において、前記入力された複数のジョブを記憶手段に記憶する工程と、前記記憶手段を参照して今回処理されるジョブに対して未使用の処理機能が該今回のジョブに続いて処理される次ジョブで使用されるか否かを判別する工程と、前記今回処理されるジョブに対して未使用の処理機能が前記次ジョブで使用されるときには、前記今回処理されるジョブの処理中に、前記次ジョブの処理内容に合わせて、該次ジョブで使用される今回のジョブに対して未使用の処理機能に関する初期設定動作を行う工程とを有することを特徴とする。
【手続補正４】
【補正対象書類名】明細書
【補正対象項目名】００１９
【補正方法】変更
【補正の内容】
【００１９】
請求項１３記載の発明は、画像形成ジョブを入力する入力手段と、前記入力手段から入力された画像形成ジョブに応じてシート上に画像を形成する画像形成手段と、前記入力手段から入力された画像形成ジョブに応じてシートに対してシート処理を行うシート処理手段と、第１画像形成ジョブが前記シート処理手段によるシート処理を含まずに第２画像形成ジョブが前記シート処理手段によるシート処理を含むかどうかを判別する判別手段と、前記判別手段の判別結果に応じて第１画像形成ジョブ中に第２画像形成ジョブのシート処理のための初期動作を前記シート処理手段に実行させる制御手段を有することを特徴とする。
【手続補正５】
【補正対象書類名】明細書
【補正対象項目名】００２３
【補正方法】変更
【補正の内容】
【００２３】
請求項１７記載の発明は、請求項１３記載の画像形成装置において、前記シート処理手段はシートに穴空け処理を行う穴空け手段であり、前記穴空け手段はシートの側端を検知する検知手段を含み、前記初期動作はシート幅に応じた位置に前記検知手段を移動させる動作であり、前記判別手段は第１画像形成ジョブが前記シート処理手段によるシート処理を含まずに第２画像形成ジョブがシート処理を含み、かつ第２画像形成ジョブのシート幅が第１画像形成ジョブのシート幅と等しいかそれよりも大きいかどうかを判別することを特徴とする。
【手続補正６】
【補正対象書類名】明細書
【補正対象項目名】００９５
【補正方法】変更
【補正の内容】
【００９５】
【発明の効果】
以上説明したように、本発明によれば、今回処理中のジョブの処理動作と、次に開始するジョブ処理動作の間に時間のロスが生じることを未然に防止することができ、生産性の向上を図ることができる。
【手続補正７】
【補正対象書類名】明細書
【補正対象項目名】００９６
【補正方法】削除
【補正の内容】